(57)【要約】【課題】取り付けが容易であり、かつ、排水管の内部を流れる排水の逆流を防げる排水管の支持構造を提供すること。【解決手段】便器１０と、洗浄水を貯水するタンク２０と、タンク２０を収納する収納部５０と、収納部５０の上方に設けられる手洗い器３０と、手洗い器３０とタンク２０とを接続すると共に手洗い器３０側の接続部とタンク２０側の接続部とが平面視においてずれた位置に配置される柔軟性のある排水管４０と、排水管４０を所定長さ拘束し柔軟性を規制する拘束部材６０と、収納部５０に設けられた拘束部材６０を固定するための拘束部材固定部５２Ｌと、を備える収納部つき便器装置１００における排水管４０の支持構造であって、拘束部材６０は拘束部材固定部５２Ｌに連結するための固定部接続部６２を有し、拘束部材固定部５２は、固定部接続部６２と連結することで拘束部材６０を所定の勾配で固定する。【選択図】図８
2015190271.tif 000002
【特許請求の範囲】
【請求項１】
便器と、
前記便器に接続され、該便器に供給する洗浄水を貯水するタンクと、
前記タンクを収納する収納部と、
前記収納部の上方に設けられる手洗い器と、
前記手洗い器と前記タンクとを接続すると共に、前記手洗い器側の接続部と前記タンク側の接続部とが平面視においてずれた位置に配置される柔軟性のある排水管と、
前記排水管を所定長さ拘束し、柔軟性を規制する拘束部材と、
前記収納部に設けられた前記拘束部材を固定するための拘束部材固定部と、を備える収納部つき便器装置における前記排水管の支持構造であって、
前記拘束部材は前記拘束部材固定部に連結するための固定部接続部を有し、
前記拘束部材固定部は、前記固定部接続部と連結することで、前記拘束部材を所定の勾配で固定することを特徴とする収納部つき便器装置における前記排水管の支持構造。
【請求項２】
前記拘束部材固定部は板状であって、前記拘束部材固定部は前記排水管と交差する方向に沿って配置され、前記固定部接続部を差し込み可能に設けられた切り欠き部を有し、
前記切り欠き部は、前記固定部接続部を第１の向きで前記切り欠き部に差し込んだ場合に、前記拘束部材が前記手洗い器側から前記タンク側に向かって下り傾斜となるように固定され、
前記固定部接続部を前記第１の向きと異なる第２の向きで前記切り欠き部に差し込んだ場合には、前記拘束部材が前記拘束部材固定部に安定して固定されない形状に形成される請求項１に記載の収納部つき便器装置における前記排水管の支持構造。
【請求項３】
前記切り欠き部は、前記拘束部材固定部を厚さ方向に視た場合において、少なくとも底面が左右非対称な形状に形成される請求項２に記載の収納部つき便器装置における前記排水管の支持構造。
【請求項４】
前記切り欠き部は、前記拘束部材固定部の厚さ方向断面において、底面が左右非対称な形状に形成される請求項２又は３に記載の収納部つき便器装置における前記排水管の支持構造。
【請求項５】
前記固定部接続部は、前記切り欠き部に対応する形状を有し該切り欠き部に当接する当接部と、前記当接部の両側部に配置され前記拘束部材固定部を挟む一対の挟持部と、を備える請求項２〜４のいずれかに記載の収納部つき便器装置における前記排水管の支持構造。
【請求項６】
前記切り欠き部は、前記拘束部材固定部の厚さ方向に貫通する第１の切り欠き部と、該第１の切り欠き部における前記拘束部材固定部の幅方向の一方に配置され該拘束部材固定部の上面の一部が凹んで形成される第２の切り欠き部と、を備え、
前記固定部接続部は、前記第１の切り欠き部に対応する形状を有し該第１の切り欠き部に当接する当接部と、前記固定部接続部を前記第１の向きで前記切り欠き部に差し込んだ場合に、前記第２の切り欠き部に差し込まれるサブ差込部と、を備える請求項２〜５のいずれかに記載の収納部つき便器装置における前記排水管の支持構造。
【請求項７】
前記拘束部材は、前記タンク側の端部に配置され、下方に向かって延出するリブ部を更に備える請求項１〜６のいずれかに記載の収納部つき便器装置における前記排水管の支持構造。
【請求項８】
前記拘束部材は、該拘束部材の向きを示す目印を更に備える請求項１〜７のいずれかに記載の収納部つき便器装置における前記排水管の支持構造。
【発明の詳細な説明】
【技術分野】
【０００１】
本発明は、手洗い器がタンクの上方に配置された収納部付き便器装置における手洗い器とタンクとを接続する排水管の支持構造に関する。
【背景技術】
【０００２】
従来、便器と、この便器に供給する洗浄水を貯留するタンクと、手洗い器と、を備える便器装置では、手洗い器は、タンクの上方に配置されている。そして、このような便器装置では、手洗い器の排水は下方に落下して排出され、タンクに導入される（例えば、特許文献１参照）。特許文献１で提案された便器装置では、手洗い器の排水部を下方に突出させると共に、タンクの上面を構成する蓋部材に形成した開口にこの突出させた排水部を差し込むことで、排水をタンクに導入している。
【先行技術文献】
【特許文献】
【０００３】
【特許文献１】特開２０１２−１９７６６５号公報
【発明の概要】
【発明が解決しようとする課題】
【０００４】
一方、近年、手洗い器をタンクの上方かつ側方に配置した便器装置が提案されている。このような便器装置の場合、手洗い器の排水部は、タンクの直上に位置しないため、手洗い器の排水部とタンクとを排水管により接続し手洗い器の排水をタンクに導くことが必要となる。ここで、排水管は、手洗い器からタンクに向かって略水平に延びる部分を有することとなり、また排水管の長さも長くなる。そのため、排水管の内部を流れる排水が逆流しないように排水管を設置することが求められる。
【０００５】
従って、本発明は、手洗い器とタンクとを接続する排水管の支持構造であって、排水管の内部を流れる排水の逆流を防げる排水管の支持構造を提供することを目的とする。
【課題を解決するための手段】
【０００６】
本発明は、便器（例えば、後述の便器１０）と、前記便器に接続され、該便器に供給する洗浄水を貯水するタンク（例えば、後述のタンク２０）と、前記タンクを収納する収納部（例えば、後述の収納部５０）と、前記収納部の上方に設けられる手洗い器（例えば、後述の手洗い器３０）と、前記手洗い器と前記タンクとを接続すると共に、前記手洗い器側の接続部と前記タンク側の接続部とが平面視においてずれた位置に配置される柔軟性のある排水管（例えば、後述の排水管４０）と、前記排水管を所定長さ拘束し、柔軟性を規制する拘束部材（例えば、後述の排水管トレー６０）と、前記収納部に設けられた前記拘束部材を固定するための拘束部材固定部（例えば、後述の仕切り板５２Ｌ）と、を備える収納部つき便器装置（例えば、後述の収納部付き便器装置１００）における前記排水管の支持構造であって、前記拘束部材は前記拘束部材固定部に連結するための固定部接続部（例えば、後述の差込部６２）を有し、前記拘束部材固定部は、前記固定部接続部と連結することで、前記拘束部材を所定の勾配で固定することを特徴とする収納部つき便器装置における前記排水管の支持構造に関する。
【０００７】
また、前記拘束部材固定部は板状であって、前記拘束部材固定部は前記排水管と交差する方向に沿って配置され、前記固定部接続部を差し込み可能に設けられた切り欠き部（例えば、後述の排水側切り欠き部５２２）を有し、前記切り欠き部は、前記固定部接続部を第１の向きで前記切り欠き部に差し込んだ場合に、前記拘束部材が前記手洗い器側から前記タンク側に向かって下り傾斜となるように固定され、前記固定部接続部を前記第１の向きと異なる第２の向きで前記切り欠き部に差し込んだ場合には、前記拘束部材が前記拘束部材固定部に安定して固定されない形状に形成されることが好ましい。
【０００８】
また、前記切り欠き部は、前記拘束部材固定部を厚さ方向に視た場合において、少なくとも底面が左右非対称な形状に形成されることが好ましい。
【０００９】
また、前記切り欠き部は、前記拘束部材固定部の厚さ方向断面において、底面が左右非対称な形状に形成されることが好ましい。
【００１０】
また、前記固定部接続部は、前記切り欠き部に対応する形状を有し該切り欠き部に当接する当接部（例えば、後述の当接部６２１）と、前記当接部の両側部に配置され前記拘束部材固定部を挟む一対の挟持部（例えば、後述の挟持部６２２）と、を備えることが好ましい。
【００１１】
また、前記切り欠き部は、前記拘束部材固定部の厚さ方向に貫通する第１の切り欠き部（例えば、後述の第１の切り欠き部５２６Ｂ）と、該第１の切り欠き部における前記拘束部材固定部の幅方向の一方に配置され該拘束部材固定部の上面の一部が凹んで形成される第２の切り欠き部（例えば、後述の第２の切り欠き部５２７Ｂ）と、を備え、前記固定部接続部は、前記第１の切り欠き部に対応する形状を有し該第１の切り欠き部に当接する当接部（例えば、後述の当接部６２１Ｂ）と、前記固定部接続部を前記第１の向きで前記切り欠き部に差し込んだ場合に、前記第２の切り欠き部に差し込まれるサブ差込部（例えば、後述のサブ差込部６２５Ｂ）と、を備えることが好ましい。
【００１２】
また、前記拘束部材は、前記タンク側の端部に配置され、下方に向かって延出するリブ部（例えば、後述のリブ部６３）を更に備えることが好ましい。
【００１３】
また、前記拘束部材は、該拘束部材の向きを示す目印を更に備えることが好ましい。
【発明の効果】
【００１４】
本発明によれば、拘束部材を拘束部材固定部に固定した状態で、この拘束部材に排水管を支持させることで、排水管の所定の勾配を保った状態で手洗い器とタンクとを接続させられる。よって、排水管における手洗い器側の接続部とタンク側の接続部とが平面視においてずれた位置に配置された場合であっても、手洗い器からの排水をタンクに導く排水管をタンク側に下り傾斜させることで、排水管を流通する排水が逆流することを防げる。
【図面の簡単な説明】
【００１５】
【図１】本発明の排水管の支持構造を備える収納部付き便器装置を示す斜視図である。
【図２】収納部付き便器装置の分解斜視図であり、排水管の支持構造及びその他の構成を示す図である。
【図３】拘束部材固定部としての仕切り板及び拘束部材としての排水管トレーを示す分解斜視図である。
【図４】排水管トレーを下面側から視た斜視図である。
【図５】排水管トレーの正面図である。
【図６】図５のＡ−Ａ線断面図である。
【図７】仕切り板の部分拡大側面図である。
【図８】仕切り板に排水管トレーを固定した状態を示す図である。
【図９】第２実施形態に係る仕切り板及び排水管トレーを示す分解斜視図である。
【図１０】図９のＢ−Ｂ線断面図である。
【図１１】第２実施形態に係る排水管トレーの部分拡大正面図である。
【図１２】図１１のＣ−Ｃ線断面図である。
【図１３】第２実施形態に係る仕切り板及び排水管トレーを示す分解斜視図である。
【発明を実施するための形態】
【００１６】
以下、本発明の排水管の支持構造の好ましい各実施形態について、図面を参照しながら説明する。
まず、本発明の第１実施形態に係る排水管の支持構造を備える収納部付き便器装置１００の全体構成について、図１及び図２を参照しながら説明する。
【００１７】
第１実施形態の収納部付き便器装置１００は、図１及び図２に示すように、便器１０と、タンク２０と、手洗い器３０と、排水管４０と、収納部５０と、排水管４０を拘束する拘束部材としての排水管トレー６０と、を備える。
便器１０は、便器本体１１と、この便器本体１１の上部に便器本体１１に対して開閉可能に取り付けられる便座（図示せず）及び便蓋１２と、を含んで構成される。
【００１８】
タンク２０は、便器１０の後方かつ上方に配置され、便器本体１１を洗浄する洗浄水を貯留する。このタンク２０は、図２に示すように、上面が開口したタンク本体２１と、このタンク本体２１の上面に配置され、タンク本体２１の上面を覆う蓋部２２と、を備える。
蓋部２２は、タンク本体の上面を覆う蓋本体２２１と、この蓋本体２２１に形成され、後述の手洗い器３０からの排水が導入される導入口２２２と、この導入口２２２の周囲から筒状に立ち上がる立ち上がり部２２３と、を備える。
【００１９】
以上のタンク２０には、給水部（図示せず）を介して洗浄水が供給される。
また、タンク本体２１の下部には、フロート弁（図示せず）により開閉される排水口が形成されている。そして、フロート弁を引き上げて排水口を開放することにより、タンク本体２１の内部に貯留された洗浄水が排水口から流出して便器１０に供給され、便器本体１１が洗浄される。
【００２０】
本実施形態では、手洗い器３０は、タンク２０の側方かつ上方に配置される。この手洗い器３０は、手洗い鉢３１と、手洗い吐水管３２と、を備える。
手洗い鉢３１は、手洗い吐水管３２から吐出される手洗い水を受ける。この手洗い鉢３１の底部には、排水口３１１が形成されている。手洗い吐水管３２は、手洗い鉢３１から起立するように配置される。この手洗い吐水管３２の先端部は、下方に開口している。
手洗い吐水管３２の基端部は、手洗い側給水配管３３，３４を介してタンク２０に洗浄水を供給する給水部（図示せず）に接続される。
【００２１】
以上の手洗い器３０には、タンク２０に供給される洗浄水の一部が、手洗い側給水配管３３，３４を介して手洗い吐水管３２に供給される。これにより、給水部の動作によりタンク２０に洗浄水が貯留される場合に、この貯留される洗浄水の一部が手洗い吐水管３２から吐出される。
【００２２】
排水管４０は、タンク２０と手洗い器３０とを接続し、手洗い器３０から排出される排水をタンク２０に導く。排水管４０は、柔軟性を有する管本体部４１と、手洗い器３０に接続される手洗い器接続部４２と、タンク２０に接続されるタンク接続部４３と、を備える。
管本体部４１は、山折り部及び谷折り部が繰り返されて形成された蛇腹構造部を有して構成される。これにより、管本体部４１は、屈曲及び伸縮自在に構成される。
【００２３】
手洗い器接続部４２は、排水管４０の上流側の端部を構成し、手洗い鉢３１の排水口３１１に接続される。本実施形態では、手洗い器接続部４２は、屈曲部を有する形状に形成される。
タンク接続部４３は、排水管４０の下流側の端部を構成し、タンク２０の蓋部２２に接続される。より具体的には、タンク接続部４３の先端部は、蓋部２２の立ち上がり部２２３の外径よりも若干大きな内径を有する筒状に形成される。そして、このタンク接続部４３の先端部を立ち上がり部２２３に嵌め、その後、ピンバンド（図示せず）等によりこれらの接続部分を締め付けることで、排水管４０とタンク２０とが接続される。
以上の排水管４０は、例えば、樹脂部材を一体成型することで形成され、管本体部４１において柔軟性を有し、手洗い器接続部４２及びタンク接続部４３においては柔軟性を有さないように構成される。
【００２４】
収納部５０は、便器１０の後方に配置され、タンク２０及び排水管４０を収納する。また、この収納部５０の上部には手洗い器３０が設けられる。収納部５０は、例えば、収納部付き便器装置１００を設置するトイレルームの一の壁面に沿うように配置される。
収納部５０は、収納部本体５１と、この収納部本体５１の内部空間を幅方向に区画する一対の仕切り板５２Ｌ，５２Ｒと、これら一対の仕切り板５２Ｌ，５２Ｒをつなぐ背板５３と、備える。
【００２５】
収納部本体５１は、前板５１１と、一対の扉板５１２Ｌ，５１２Ｒと、天板５１３と、を含んで構成される。前板５１１は、タンク２０の前面側に配置されタンク２０の前面を覆う。前板５１１の幅は、便器１０の幅よりも若干広く形成される。
一対の扉板５１２Ｌ，５１２Ｒは、前板５１１の両側部にそれぞれ、前板５１１に沿って配置される。一対の扉板５１２Ｌ，５１２Ｒは、前板５１１に対してヒンジ（図示せず）を介して連結される。これにより、一対の扉板５１２Ｌ，５１２Ｒは、前板５１１に対して開閉可能に連結される。
【００２６】
天板５１３は、収納部５０の上面を構成する。天板５１３は、収納部本体５１の上面のうち、手洗い器３０が配置されていない位置に配置される。本実施形態では、手洗い器３０は、図１に示すように、収納部５０を便器１０側から視た場合における左側の上部に配置されており、天板５１３は、収納部５０の上面の中央部及び右側を覆うように配置される。
【００２７】
一対の仕切り板５２Ｌ，５２Ｒは、前板５１１の幅方向のそれぞれの端部に、前板５１１に直交して配置される。即ち、一対の仕切り板５２Ｌ，５２Ｒは、タンク２０を幅方向に挟むように配置され、収納部本体５１の内部を幅方向に区画する。本実施形態では、仕切り板５２Ｌが拘束部材固定部として機能する。
仕切り板５２Ｌ，５２Ｒの上端部は、タンク２０の上端部よりも高い位置に位置する。また、仕切り板５２Ｌ，Ｒの上端部には、本発明の切り欠き部としての排水側切り欠き部５２２と、給水側切り欠き部５２３と、が形成される。
【００２８】
排水側切り欠き部５２２には、後述の排水管トレー６０を介して排水管４０が配置される。給水側切り欠き部５２３には、手洗い側給水配管３３が配置される。言い換えれば、排水側切り欠き部５２２は、排水管４０の延びる方向に交差（直交）する方向に沿って配置される。また、給水側切り欠き部５２３は、手洗い側給水配管３３の延びる方向に交差（直交）する方向に沿って配置される。
排水側切り欠き部５２２の深さは、排水管４０の直径よりも深く形成される。給水側切り欠き部５２３の深さは、手洗い側給水配管３３の直径よりも深く形成される。排水側切り欠き部５２２への排水管４０の取り付け構造については、後述する。
【００２９】
一対の仕切り板５２Ｌ，Ｒの前面には、ビス５２１を介して前板５１１が固定される。また、一対の仕切り板５２Ｌ，Ｒの上面には、天板５１３が固定される。
尚、仕切り板５２Ｌ，５２Ｒには、タンク２０に洗浄水を供給する給水管（図示せず）や、上述のフロート弁を操作するための部材（図示せず）等を通すための貫通穴が形成される。
【００３０】
背板５３は、タンク２０の後面側における上方に配置される。背板５３は、一対の仕切り板５２Ｌ，５２Ｒの上部をつなぐ。
【００３１】
以上の収納部５０によれば、収納部本体５１の幅方向の中央部にタンク２０が収納（配置）される。また、手洗い器３０は、収納部本体５１の左側部の上部に配置される。また、収納部本体５１の内部における一対の仕切り板５２Ｌ，５２Ｒの幅方向の外側には、それぞれ、物品を収納可能な物品収納空間が形成される。そして、扉板５１２Ｌ，５１２Ｒを開閉させることで、この物品収納空間に物品を出し入れできる。
尚、収納部５０の側面は、トイレルームの壁面を利用することで、収納部５０の側面を構成する板材を含むことなく収納部本体５１を構成できる。
【００３２】
ところで、本実施形態では、手洗い器３０がタンク２０の側方かつ上方に配置されているので、排水管４０は、手洗い器３０からタンク２０に向かう途中に略水平に延びる部分が生じる。ここで、この排水管４０の略水平に延びる部分は、手洗い器３０からタンク２０への排水の流れを好適に維持させるために、手洗い器３０側からタンク２０側に向かって若干下り傾斜させた状態で取り付けることが求められる。
【００３３】
そこで、本実施形態では、収納部付き便器装置１００を、拘束部材としての排水管トレー６０及び拘束部材固定部としての仕切り板５２Ｌにより構成される排水管４０の支持構造を含んで構成することで、排水管トレー６０を所定の勾配で仕切り板５２Ｌに固定可能とした。
【００３４】
排水管トレー６０は、図２及び図３に示すように、仕切り板５２Ｌに取り付けられ、排水管４０を支持する。この排水管トレー６０は、図４〜図６に示すように、排水管支持部６１と、固定部接続部としての差込部６２と、リブ部６３と、を備える。
排水管支持部６１は、筒状に構成されると共に、この筒状の周面に形成され長手方向に延びる開口部６１１を有して構成される。開口部６１１は、排水管支持部６１を水平方向に向けた場合における上面に形成され、排水管支持部６１の長手方向の全長に亘って延びる。開口部６１１の幅は、排水管支持部６１に差し込まれる排水管４０の直径よりも小さく形成される。
【００３５】
差込部６２は、排水管支持部６１の長手方向の中央部における開口部６１１が形成された側と反対側（下面側）に配置される。差込部６２は、仕切り板５２Ｌに形成された排水側切り欠き部５２２に差し込まれ、これにより、排水管トレー６０が仕切り板５２Ｌに固定される。より具体的には、差込部６２は、当接部６２１と、一対の挟持部６２２と、を備える。
当接部６２１は、図６及び図７に示すように、排水側切り欠き部５２２の形状に対応した形状に形成され、排水側切り欠き部５２２に当接する。
【００３６】
本実施形態では、排水側切り欠き部５２２は、図７に示すように、仕切り板５２Ｌを厚さ方向に視た場合において、底面が左右非対称な形状に形成される。ここで、「仕切り板５２Ｌを厚さ方向に視る」とは、図７に示すように、仕切り板５２Ｌを、排水側切り欠き部５２２の開口部が上方を向くように配置した状態で、仕切り板５２Ｌの板面５２ａを正面から視ることをいう。
より詳細には、本実施形態では、排水側切り欠き部５２２の前面側（図７における左側）の側面は、略鉛直方向に延びる鉛直面となっている。また、前面側の底面は水平面となっており、背面側（図７における右側）の底面は、背面側に向かって上り傾斜となった傾斜面となっている。そして、背面側の側面は鉛直面となっている。
【００３７】
本実施形態では、当接部６２１は、図４及び図６に示すように、排水管支持部６１の外面から径方向に突出すると共に排水管支持部６１の周方向に延びる第１の板状部６２１ａと、排水管支持部６１の周方向に所定間隔をあけて配置され第１の板状部６２１ａに交差する方向に延びる複数の第２の板状部６２１ｂと、を含んで構成される。そして、これら第１の板状部６２１ａ及び複数の第２の板状部６２１ｂにおいて排水側切り欠き部５２２の底面に当接しており、その他の部分では排水側切り欠き部５５２の底面には当接していない。また、当接部６２１は、排水側切り欠き部５５２の側面には、全面が当接している。
【００３８】
一対の挟持部６２２は、当接部６２１を挟んで配置される。一対の挟持部６２２は、図６に示すように、排水管支持部６１の軸方向視において当接部６２１と同形で、かつ、当接部６２１よりも大きな形状を有する。一対の挟持部６２２は、当接部６２１を排水側切り欠き部５２２に当接させた状態において、仕切り板５２Ｌを挟む。これにより、差込部６２が排水側切り欠き部５２２に刺し込まれた状態で排水管トレー６０が仕切り板５２Ｌに固定される。
【００３９】
リブ部６３は、排水管支持部６１における長手方向の一端部に配置される。このリブ部６３は、排水管支持部６１の端部から下方に向かって延出する。
【００４０】
以上の排水管トレー６０は、図２、図３及び図８に示すように、差込部６２を、当接部６２１の形状と排水側切り欠き部５２２の形状とが一致する第１の向きで排水側切り欠き部５２２に差し込んだ場合に、リブ部６３がタンク２０側に位置し、かつ、排水管支持部６１が手洗い器３０側からタンク２０側に向かって下り傾斜となるように仕切り板５２Ｌに固定される。これにより、排水管トレー６０を仕切り板５２Ｌに固定した状態で、排水管支持部６１を手洗い器３０側からタンク２０側に向かって下り傾斜させられる。よって、この排水管支持部６１に排水管４０を差し込んで支持させることで、排水管４０を手洗い器３０側からタンク２０側に向かって若干下り傾斜させた状態で容易に取り付けられる。
【００４１】
また、本実施形態では、排水側切り欠き部５２２が、仕切り板５２Ｌを厚さ方向に視た場合において、底面が左右非対称な形状に形成されているため、差込部６２を、第１の向きとは反対の第２の向きで排水側切り欠き部５２２に差し込んだ場合には、排水管トレー６０が安定して仕切り板５２Ｌに固定されない。よって、排水管トレー６０の誤組み付けを防げ、排水管４０の勾配が逆になってしまうことを防げる。
【００４２】
以上説明した第１実施形態の排水管４０の支持構造によれば、以下のような効果を奏する。
【００４３】
排水管４０の支持構造を、排水管４０の柔軟性を規制する拘束部材としての排水管トレー６０と、収納部５０に設けられ排水管トレー６０を固定する拘束部材固定部としての仕切り板５２Ｌと、を含んで構成し、排水管トレー６０を、仕切り板５２Ｌに連結される固定部接続部としての差込部６２を含んで構成すると共に、仕切り板５２Ｌに差込部６２を連結した場合に、排水管トレー６０が所定の勾配で固定されるように構成した。これにより、排水管トレー６０を仕切り板５２Ｌに固定した状態で、この排水管トレー６０に排水管４０を支持させることで、排水管４０を所定の勾配を保った状態で接続させられる。よって、排水管４０における手洗い器３０側の接続部とタンク２０側の接続部とが平面視においてずれた位置に配置された場合であっても、手洗い器３０からの排水をタンク２０に導く排水管４０をタンク２０側に下り傾斜させることで、排水管４０を流通する排水が逆流することを防げる。
【００４４】
また、拘束部材固定部を排水管４０と交差する方向に沿って配置される板状の部材である仕切り板５２Ｌにより構成すると共に、この仕切り板５２Ｌを、排水側切り欠き部５２２を含んで構成し、排水側切り欠き部５２２及び差込部６２を、差込部６２を第１の向きで排水側切り欠き部５２２に差し込んだ場合に、排水管支持部６１が手洗い器３０側からタンク２０側に向かって下り傾斜となるように排水管トレー６０が固定されるが、差込部６２を第２の向きで排水側切り欠き部５２２に差し込んだ場合には、排水管トレー６０が仕切り板５２Ｌに安定して固定されない形状に形成した。これにより、仕切り板５２Ｌの排水側切り欠き部５２２に差込部６２を第１の向きに差し込んで排水管トレー６０を収納部５０（仕切り板５２Ｌ）に固定することで、排水管支持部６１を手洗い器３０側からタンク２０側に向かって下り傾斜させられる。よって、差込部６２を正しい向きではない第２の向きで排水側切り欠き部５２２に差し込んだ場合には、排水管トレー６０が仕切り板５２Ｌに安定して固定されないので、排水管トレー６０の誤組み付けを防げ、排水管４０の勾配が逆になってしまうことを防げる。
【００４５】
また、排水側切り欠き部５２２を、仕切り板５２Ｌを厚さ方向に視た場合に底面が左右非対称な形状に形成した。これにより、排水管トレー６０の組み付けの容易性を維持でき、かつ排水管トレー６０の誤組み付けを防げる構造を簡易な形状により実現できる。
【００４６】
また、差込部６２を、排水側切り欠き部５２２に対応する形状を有する当接部６２１と、この当接部６２１の両側部に配置される一対の挟持部６２２と、を含んで構成した。これにより、排水管トレー６０を仕切り板５２Ｌにより安定的に固定できる。
【００４７】
また、排水管トレー６０を、排水管支持部６１におけるタンク２０側の端部に配置したリブ部６３を含んで構成した。これにより、仮に排水管４０からの水漏れが生じた場合であっても、排水管支持部６１の上面を伝って流れる水をリブ部６３により下方に導ける。よって、漏れた水が排水管支持部６１の端部から下面側を伝って手洗い器３０側に流れるのを防げるので、水漏れが生じた場合にも、漏れた水をタンク２０に流せる。また、このリブ部６３を、排水管トレー６０の向きを示す目印として機能させることもできる。
【００４８】
また、収納部５０を、一対の仕切り板５２Ｌ，５２Ｒを含んで構成し、これら一対の仕切り板５２Ｌ，５２Ｒの両方に排水側切り欠き部５２２及び給水側切り欠き部５２３を形成した。これにより、収納部付き便器装置１００を設置するトイレルームの形状や、使用者の要求に応じて、手洗い器３０をタンク２０の右側方又は左側方のいずれにも配置できる。よって、収納部付き便器装置１００の設置の自由度を高められる。
【００４９】
次に、第２実施形態の排水管４０の支持構造について、図９〜図１２を参照しながら説明する。第２実施形態の排水管４０の支持構造は、排水側切り欠き部の形状及び差込部の形状において、第１実施形態と異なる。尚、第２実施形態以降の説明にあたって、同一構成要件については同一符号を付し、その説明を省略もしくは簡略化する。
【００５０】
第２実施形態では、排水側切り欠き部５２２Ａは、図９及び図１０に示すように、仕切り板５２Ｌの厚さ方向の断面において、底面が左右非対称な形状に形成される。ここで、「仕切り板５２Ｌの厚さ方向の断面」とは、図９及び図１０に示すように、仕切り板５２Ｌを、排水側切り欠き部５２２Ａの開口部が上方を向くように配置した状態で、この仕切り板５２Ｌを板面に直交する方向かつ鉛直方向に切った断面をいう。
より具体的には、排水側切り欠き部５２２Ａは、仕切り板５２Ｌを厚さ方向に視た場合においてＵ字形状に形成される。そして、この排水側切り欠き部５２Ａは、底部の深さが第１の深さの第１深さ部５２４Ａと、この第１深さ部５２４Ａよりも底部の深さの深い第２深さ部５２５Ａと、を備え、これら第１深さ部５２４Ａと第２深さ部５２５Ａとの間に段差が形成されている。本実施形態では、第１深さ部５２４Ａがタンク２０側に配置され、第２深さ部５２５Ａが手洗い器３０側に配置される。
【００５１】
差込部６２Ａは、図９及び図１１に示すように、排水側切り欠き部５２Ａに対応する形状の当接部６２１Ａと、一対の挟持部６２２Ａと、を備える。当接部６２１Ａは、排水側切り欠き部５２Ａの第１深さ部５２４Ａに対応する形状を有し、この第１深さ部５２４Ａに当接する第１当接部６２３Ａと、第２深さ部５２５Ａに対応する形状を有し、この第２深さ部５２５Ａに当接する第２当接部６２４Ａと、を備える。そして、差込部６２Ａを第１の向きで排水側切り欠き部５２Ａに差し込んだ場合に、第１当接部６２３Ａがタンク２０側に配置され、第２当接部６２４Ａが手洗い器３０側に配置される。
また、第２実施形態では、図１２に示すように、一対の挟持部６２２Ａは、当接部６２１Ａと同形ではなく、排水管支持部６１の軸方向視において矩形形状に形成される。
【００５２】
以上説明した第２実施形態の排水管４０の支持構造によれば、上述した効果を奏する他、以下のような効果を奏する。
【００５３】
排水側切り欠き部５２２Ａを、仕切り板５２Ｌの厚さ方向断面において底面が左右非対称な形状に形成した。これにより、排水管トレー６０の組み付けの容易性を維持でき、かつ排水管トレー６０の誤組み付けを防げる構造を簡易な形状により実現できる。
【００５４】
次に、第３実施形態の排水管４０の支持構造について、図１３を参照しながら説明する。第３実施形態では、排水側切り欠き部５２２Ｂは、図１３に示すように、第１の切り欠き部５２６Ｂと、第２の切り欠き部５２７Ｂと、を備える。第１の切り欠き部５２６Ｂは、Ｕ字状に形成され、仕切り板５２Ｌの厚さ方向に貫通している。第２の切り欠き部５２７Ｂは、第１の切り欠き部５２６Ｂにおける仕切り板５２Ｌの幅方向の一方に形成される、本実施形態では、第２の切り欠き部５２７Ｂは、仕切り板５２Ｌの上面における第１の切り欠き部５２６の前面側の一部が凹んで形成される。また、第２の切り欠き部５２７Ｂは、第１の切り欠き部５２６Ｂの側面に連続するように形成される。
尚、ここで、「仕切り板５２Ｌの幅方向」とは、図１３に示すように、仕切り板５２Ｌを、排水側切り欠き部５２２Ｂの開口部が上方を向くように配置した状態における、高さ方向及び厚さ方向に直交する方向をいう。
【００５５】
差込部６２Ｂは、当接部６２１Ｂと、一対の挟持部６２２Ｂと、サブ差込部６２５Ｂと、を備える。当接部６２１Ｂは、第１の切り欠き部５２６Ｂに対応する形状を有し、このメイン切り欠き部５２６Ｂに当接する。サブ差込部６２５Ｂは、第２の切り欠き部５２７Ｂに対応する形状に形成される。このサブ差込部６２５Ｂは、差込部６２Ｂを第１の向きで排水側切り欠き部５２２Ｂに差し込んだ場合に、第２の切り欠き部５２７Ｂに差し込まれる。
以上説明した第３実施形態の排水管４０の支持構造によれば、上述した効果を奏する他、以下のような効果を奏する。
【００５６】
排水側切り欠き部５２２Ｂを、第１の切り欠き部５２６Ｂと、仕切り板５２Ｌの幅方向の一方に形成した第２の切り欠き部５２７Ｂと、を含んで構成し、差込部６２Ｂを、第１の切り欠き部５２６Ｂに差し込まれる当接部６２１Ｂと、差込部６２Ｂを第１の向きで差し込んだ場合に第２の切り欠き部５２７Ｂに差し込まれるサブ差込部６２５Ｂと、を含んで構成した。これにより、差込部６２Ｂを第２の向きで排水側切り欠き部５２２Ｂに差し込んだ場合には、サブ差込部６２５Ｂを第２の切り欠き部５２７Ｂに差し込めないので、排水管トレー６０を仕切り板５２Ｌに安定して固定できなくできる。よって、排水管トレー６０の組み付けの容易性を維持でき、かつ排水管トレー６０の誤組み付けを防げる構造を簡易な形状により実現できる。
【００５７】
以上、本発明の排水管４０の支持構造の好ましい各実施形態について説明したが、本発明は、上述した実施形態に制限されるものではなく、適宜変更が可能である。
例えば、第１実施形態〜第３実施形態では、手洗い器３０をタンク２０の左側方に配置したが、これに限らない。即ち、手洗い器３０を、タンク２０の右側方に配置してもよい。この場合、排水管４０及び排水管トレー６０、並びに手洗い側給水配管３３は、仕切り板５２Ｒに形成された排水側切り欠き部５２２及び給水側切り欠き部５２３に配置できる。
【００５８】
また、第１実施形態〜第３実施形態では、手洗い器３０をタンク２０の側方かつ上方に配置したが、これに限らない。即ち、本発明の排水管の支持構造は、排水管における手洗い器側の接続部とタンク側の接続部とが平面視においてずれた位置に配置される形態であれば、手洗い器をタンクの上方に配置した場合にも好適に適用できる。
【００５９】
また、第１実施形態〜第３実施形態では、拘束部材固定部を仕切り板５２Ｌにより構成したが、これに限らない。即ち、拘束部材固定部を、収納部５０を構成する他の部材により構成してもよい。また、収納部５０に取り付け可能な他の部材により構成してもよい。
【００６０】
また、第１実施形態〜第３実施形態では、固定部接続部を差込部６２により構成したが、これに限らない。即ち、固定部接続部を、差込部とは異なる構造（即ち、拘束部材固定部に差し込まれて接続される以外の構造）により構成してもよい。
【００６１】
また、第１実施形態〜第３実施形態では、排水管トレー６０のリブ部６３を、排水管トレー６０の向きを示す目印としても用いたが、これに限らない。即ち、目印としてリブ部６３とは異なる表示を付してもよい。
【００６２】
また、第３実施形態では、第２の切り欠き部５２７Ｂを、第１の切り欠き部５２６Ｂの側面に連続するように形成したが、これに限らない。即ち、第２の切り欠き部を、仕切り板の上面における第１の切り欠き部から離間した位置に形成してもよい。
【符号の説明】
【００６３】
１０  便器
２０  タンク
３０  手洗い器
４０  排水管
５０  キャビネット
５２Ｌ，５２Ｒ  仕切り板（拘束部材固定部）
５２２  排水側切り欠き部（切り欠き部）
５２６Ｂ  第１の切り欠き部
５２７Ｂ  第２の切り欠き部
６０  排水管トレー（拘束部材）
６１  排水管支持部
６２  差込部（固定部接続部）
６２１  当接部
６２２  挟持部
６２５Ｂ  サブ差込部
６３  リブ部
６１１  開口部
１００  収納部付き便器装置
【図１】
2015190271.tif 000003
【図２】
2015190271.tif 000004
【図３】
2015190271.tif 000005
【図４】
2015190271.tif 000006
【図５】
2015190271.tif 000007
【図６】
2015190271.tif 000008
【図７】
2015190271.tif 000009
【図８】
2015190271.tif 000010
【図９】
2015190271.tif 000011
【図１０】
2015190271.tif 000012
【図１１】
2015190271.tif 000013
【図１２】
2015190271.tif 000014
【図１３】
2015190271.tif 000015